【事件の表示】
　特願２０１８−　６８１６４「眼科撮影装置」拒絶査定不服審判事件〔平成３０年　６月２８日出願公開、特開２０１８−　９９６３１〕について、次のとおり審決する。
【結　論】
　本件審判の請求は、成り立たない。
【理　由】
第１　手続の経緯
　本願は、平成２５年１０月３１日に出願された特願２０１３−２２６３７４号の一部を、平成３０年３月３０日に新たに出願したものであって、平成３１年１月９日付けで拒絶理由が通知され、同年３月１５日付けで意見書及び手続補正書が提出され、令和元年７月１６日付けで拒絶理由が通知され、同年１１月２１日付けで意見書及び手続補正書が提出され、令和２年１月２９日付けで拒絶査定されたところ、同年５月７日に拒絶査定不服審判の請求がなされ、同時に手続補正がなされたものである。
第２　本件補正についての補正却下の決定
［補正却下の決定の結論］
本件補正を却下する。
［理由］
１　本件補正について
（１）本件補正後の特許請求の範囲の記載
　本件補正後の特許請求の範囲の請求項１の記載は、次のとおりである（下線は補正箇所を示す。）。
「　【請求項１】
　光源から発せられる照明光を被検眼の眼底へ投光する投光光学系と、前記投光光学系によって投光される前記照明光を前記眼底上で走査するために前記照明光の進行方向を変える走査部と、前記投光光学系から眼底へ照射された前記照明光の眼底反射光を受光素子で受光する受光光学系と、を備え、前記照明光の走査によって被検眼の眼底画像を撮影するための撮影光学系を備える眼科撮影装置であって、
　前記撮影光学系は、
　
眼底上でスポット状の前記照明光を二次元的に走査するための２つの光スキャナからなる前記走査部、または、眼底上でライン状の照明光を一次元的に走査するための前記走査部、を前記投光光学系と前記受光光学系との共通光路上に有し、更に、
　前記撮影光学系における
前記眼底画像の
前記眼底画像の
前記共通光路上であって前記走査部と前記被検眼との間に
　前記第１の対物レンズ光学系と前記第２の対物レンズ光学系との１つを前
記光
における前記走査部と前記被検眼との間
前記眼底画像の
　検者による撮影画角の選択操作に基づいて、前記第１の対物レンズ光学系と前記第２の対物レンズ光学系との１つが前記光路上
における前記走査部と前記被検眼との間
眼科撮影装置。」
（２）本件補正前の特許請求の範囲の記載
　本件補正前の令和元年１１月２１日にされた手続補正により補正された特許請求の範囲の請求項１の記載は、次のとおりである。
「　　【請求項１】
　光源から発せられる照明光を被検眼の眼底へ投光する投光光学系と、前記投光光学系によって投光される前記照明光を前記眼底上で走査するために前記照明光の進行方向を変える走査部と、前記投光光学系から眼底へ照射された前記照明光の眼底反射光を受光素子で受光する受光光学系と、を備え、前記照明光の走査によって被検眼の眼底画像を撮影するための撮影光学系を備える眼科撮影装置であって、
　前記撮影光学系は、前記撮影光学系における撮影画角を、第１の画角とするための第１の対物レンズ光学系と、前記撮影画角を前記第１の画角よりも大きな、且つ、５０°よりも大きな第２の画角とするための第２の対物レンズ光学系と、を前記走査部と前記被検眼との間であり、前記投光光学系と前記受光光学系との共通光路上に有し、
　前記第１の対物レンズ光学系と前記第２の対物レンズ光学系との１つを前記照明光の光路上に択一的に配置することで、前記撮影光学系における撮影画角を、前記第１の画角と前記第２の画角との間で切換える画角切換手段と、
　検者による撮影画角の選択操作に基づいて、前記第１の対物レンズ光学系と前記第２の対物レンズ光学系との１つが前記光路上に択一的に配置されるように前記画角切換手段を制御し、前記第１の画角で撮影が行われる第１の撮影モードと、前記第２の画角で撮影が行われる第２の撮影モードと、の間で撮影モードを切換える制御手段と、を備える、
眼科撮影装置。」
２　補正の適否
　本件補正は、本件補正前の請求項１に記載された発明を特定するために必要な事項である「撮影光学系」について、上記のとおり限定を付加するものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そこで、本件補正後の請求項１に記載される発明（以下「本件補正発明」という。）が、同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献１について
（ア）引用文献１の記載
　原査定の拒絶の理由に引用され、本願出願前に頒布された特開２００１−２４５８５２号公報（以下「引用文献１」という。）には、図面とともに、次の事項が記載されている（なお、下線は当審において付与した。以下同様。）
（引１ア）
「【発明の実施の形態】本発明を図示の実施例に基づいて詳細に説明する。図１は第１の実施例の構成図であり、検眼装置は走査式で共焦点式とされている。また、
検眼装置は光軸Ｏ１に垂直な被検眼Ｅのカラー又は擬似カラーの映像と、その光軸Ｏ１を含む被検眼Ｅのカラー又は擬似カラーの断層像とを得ることが可能とされている
【００１７】
被検眼Ｅに対して入反射する光束が進行する光軸Ｏ１上には、対物レンズ１とマイクロミラーアレイ２が配置されている。マイクロミラーアレイ２に対して入反射する光束が進行する光軸Ｏ２上には、リレーレンズ３とガルバノメータミラー４が配置されている。ガルバノメータミラー４に対して入反射する光束が進行する光軸Ｏ３上には、フォーカスレンズ５、光分割部材６、共焦点絞り７及び白色光源８が配置されている
【００１８】
光分割部材６において反射した光束が進行する光軸上には、ダイクロイックミラー１０、ダイクロイックミラー１１、共焦点絞り１２及び光電センサ１３が配置されている。ダイクロイックミラー１０において反射した光束が進行する光軸上には、ダイクロイックミラー１４、共焦点絞り１５及び光電センサ１６が配置されている。ダイクロイックミラー１１において反射した光束が進行する光軸上には共焦点絞り１７及び光電センサ１８が配置され、ダイクロイックミラー１４において反射した光束が進行する光軸上には共焦点絞り１９及び光電センサ２０が配置されている
【００１９】
ガルバノメータミラー４はドライバ２１により支持されており、マイクロミラーアレイ２、光電センサ１３、１６、１８、２０、及びドライバ２１は演算手段２２に接続され、この演算手段２２にはテレビモニタなどの表示手段２３が接続されている
【００２０】
マイクロミラーアレイ２は
光束を紙面に沿った方向つまり主走査方向に高速度で走査し得るようにされている
マイクロミラーアレイ２の偏向角が約１５度である場合には、被検眼Ｅに６０度の画角となるようにされている
【００２１】ガルバノメータミラー４はドライバ２１により支持された反射部材４ａと、この反射部材４ａの表面の中央部と周辺部に施された遮光部材４ｂ、４ｃとから構成されている。また、
ガルバノメータミラー４は
光束を紙面に直交する方向つまり副走査方向に走査するようにされている
【００２２】光分割部材６はハーフミラーとされ、白色光源８は近赤外光を発生するハロゲンランプ等とされている。光電センサ１３、１６、１８、２０はそれぞれ緑色光、近赤外光、青色光、赤色光がそれぞれ受光するようにされており、
光電センサ１３、１６、１８、２０からの信号は演算手段２２に色毎に蓄積され、光軸Ｏ１を含む被検眼Ｅのカラー又は近赤外を含む擬似カラーによる断層像Ｓが表示手段２３に表示されるようになっている
【００２３
】白色光源８から発した光束は、
眼底において点状として投影し
【００２４】被検眼Ｅの断層像Ｓを得る際には、ガルバノメータミラー４を固定し、フォーカスレンズ５を矢印方向に駆動し、光束を被検眼Ｅにマイクロミラーアレイ２により走査する。即ち、白色光源８からの光束は共焦点絞り７、光分割部材６、フォーカスレンズ５、ガルバノメータミラー４、リレーレンズ３、マイクロミラーアレイ２、対物レンズ１を介し、瞳孔において５〜６ｍｍの径のリング状となって眼底に点状に投影される。
【００２５】眼底において反射した光束は、瞳孔からリング状となって出射し、対物レンズ１、マイクロミラーアレイ２、リレーレンズ３、ガルバノメータミラー４、フォーカスレンズ５を介して光分割部材６において反射し、共焦点絞り１２、１５、１７、１９を介して光電センサ１３、１６、１８、２０にそれぞれ入射する。このとき、フォーカスレンズ５が矢印方向に移動すると共に、マイクロミラーアレイ２が光束を被検眼Ｅに走査することより、被検眼Ｅにおける異なる深さの部位が光電センサ１３、１６、１８、２０に逐次に結像し、演算手段２２は光電センサ１３、１６、１８、２０からの深さ信号を記憶し、表示手段２３に光軸Ｏ１を含む網膜の断層像Ｓを表示する。この際に、近赤外光に吸収のあるメラニンの固まり等は近赤外光を含む擬似カラー画像として表示し、それ以外は可視光のカラー画像として表示する。
【００２６】このように、第１の実施例は光束が太い上に共焦点式であるので、焦点深度が極めて浅くなり、光軸方向の分解能を向上させることができる。例えば、約５００μｍの厚さの網膜の断層像Ｓを２５μｍの分解能で表示することができる。また、カラー画像又は擬似カラー画像を得ることができるので、従来のモノクロ画像と異なり、色情報を一画像に含めることができ、診断価値の高い画像を得ることができる。
【００２７】
そして、眼底が共焦点絞り７、１２、１５、１７、１９と共役になるようにフォーカスレンズ５を固定し、かつ光束をガルバノメータミラー４により副走査方向に二次元的に走査し、
光軸Ｏ１に垂直な断面像、即ち眼底像を得ることができる。
（引１イ）
「【００２９】
図４は第２の実施例の構成図であり、第１の実施例と同様な部材は同一符号で示している。
制御する
対物レンズ１を矢印方向に移動してその投影倍率を変化させている
ガルバノメータミラー４’
【００３０】更に、第１の実施例のフォーカスレンズ５と光分割部材６の代りに、
光軸Ｏ３上にはフォーカスレンズ４１、光分割部材４２、フォーカスレンズ４３
が配置されている
光分割部材４２の反射方向には、フォーカスレンズ４５を介して第１の実施例と同様なダイクロイックミラー１０、１１、１４と、共焦点絞り１２、１５、１７、１９と、光電センサ１３、１６、１８、２０とがそれぞれ配置されている
（引１ウ）図１
（引１エ）図４
（イ）　引用文献１に記載された発明
　（引１ア）の【００２０】「マイクロミラーアレイ２の偏向角が約１５度である場合には、被検眼Ｅに６０度の画角となるようにされている」、（引１イ）の【００２９】「図４は第２の実施例の構成図であり、第１の実施例と同様な部材は同一符号で示している。・・・対物レンズ１を矢印方向に移動してその投影倍率を変化させている」との記載、及び（引１ウ）の図３、（引１エ）の図４を踏まえると、検眼装置は、検者による画角変更操作に基づいて、対物レンズ１が、被検眼Ｅの眼底に対し、６０度の画角となる実線の位置から、６０度の画角より小さい画角となる点線の位置に、光軸Ｏ１上をマイクロミラーアレイ２の方向に移動するように制御されることが理解できる。
　よって、上記（ア）の記載及び図面を総合すると、引用文献１には、次の発明（以下「引用発明」という。）が記載されていると認められる。
「光軸Ｏ１に垂直な被検眼Ｅのカラー又は擬似カラーの映像と、その光軸Ｏ１を含む被検眼Ｅのカラー又は擬似カラーの断層像とを得ることが可能とされている検眼装置であって、
　被検眼Ｅに対して入反射する光束が進行する光軸Ｏ１上には、対物レンズ１とマイクロミラーアレイ２が配置され、
　マイクロミラーアレイ２に対して入反射する光束が進行する光軸Ｏ２上には、リレーレンズ３とガルバノメータミラー４’が配置され、
　ガルバノメータミラー４’に対して入反射する光束が進行する光軸Ｏ３上には、フォーカスレンズ４１、光分割部材４２、フォーカスレンズ４３、共焦点絞り７及び白色光源８が配置され、
　光分割部材４２において反射した光束が進行する光軸上には、フォーカスレンズ４５、ダイクロイックミラー１０、ダイクロイックミラー１１、共焦点絞り１２及び光電センサ１３が配置され、
　ダイクロイックミラー１０において反射した光束が進行する光軸上には、ダイクロイックミラー１４、共焦点絞り１５及び光電センサ１６が配置され、
　ダイクロイックミラー１１において反射した光束が進行する光軸上には共焦点絞り１７及び光電センサ１８が配置され、
　ダイクロイックミラー１４において反射した光束が進行する光軸上には共焦点絞り１９及び光電センサ２０が配置され、
　ガルバノメータミラー４’はドライバ２１により支持されており、マイクロミラーアレイ２、光電センサ１３、１６、１８、２０、及びドライバ２１は演算手段２２に接続され、この演算手段２２にはテレビモニタなどの表示手段２３が接続され、
　マイクロミラーアレイ２は光束を紙面に沿った方向つまり主走査方向に高速度で走査し得るようにされ、
　ガルバノメータミラー４’は光束を紙面に直交する方向つまり副走査方向に走査するようにされ、
　光電センサ１３、１６、１８、２０からの信号は演算手段２２に色毎に蓄積され、光軸Ｏ１を含む被検眼Ｅのカラー又は近赤外を含む擬似カラーによる断層像Ｓが表示手段２３に表示されるようになっており、
　白色光源８から発した光束は、眼底において点状として投影し、眼底が共焦点絞り７、１２、１５、１７、１９と共役になるようにフォーカスレンズを固定し、かつ光束をマイクロミラーアレイ２により主走査方向に、ガルバノメータミラー４’により副走査方向に二次元的に走査し、光軸Ｏ１に垂直な断面像、即ち眼底像を得ることができ、
　検者による画角変更操作に基づいて、対物レンズ１が、被検眼Ｅの眼底に対し、６０度の画角となる位置から、６０度の画角より小さい画角となる位置に、光軸Ｏ１上をマイクロミラーアレイ２の方向に移動するように制御される、検眼装置。」
イ　引用文献３について
　原査定の拒絶の理由に引用され、本願出願前に頒布された特開昭６４−５８２３７号公報（以下「引用文献３」という。）には、図面とともに、次の事項が記載されている。
（引３ア）
「本発明は
眼底検査装置
（引３イ）
「すでに述べたように、レンズ２３は、複数のレンズ群よりなり、画角変換や、焦点調整機能を持つ。たとえば、
レンズ群の一部を入れ換えることによりレーザー光の走査範囲を変えることができ、撮像される被検眼眼底に対する画角範囲を変換することができる
ウ　引用文献４について
　原査定の拒絶の理由に引用され、本願出願前に頒布された特開平１１−２３５３１５号公報（以下「引用文献４」という。）には、図面とともに、次の事項が記載されている。
（引４ア）
「【０００１】
【発明の属する技術分野】本発明は被検眼の眼底光凝固治療及び
眼底検査に用いられるレーザ検眼鏡
（引４イ）
「【００２３】また、
観察光学系の対物レンズ１は屈折力の異なる他の対物レンズと交換可能とする
（３）対比
　本件補正発明と引用発明とを対比する。
ア　引用発明において、「被検眼Ｅに対して入反射する光束が進行する光軸Ｏ１上には、対物レンズ１とマイクロミラーアレイ２が配置され、
マイクロミラーアレイ２に対して入反射する光束が進行する光軸Ｏ２上には、リレーレンズ３とガルバノメータミラー４’が配置され、
ガルバノメータミラー４’に対して入反射する光束が進行する光軸Ｏ３上には、フォーカスレンズ４１、光分割部材４２、フォーカスレンズ４３、共焦点絞り７及び白色光源８が配置され」ることは、投光光学系を構成しているが明らかであるから、本件補正発明の「光源から発せられる照明光を被検眼の眼底へ投光する投光光学系」に相当する。
イ　引用発明は、「白色光源８から発した光束は、眼底において点状として投影し、眼底が共焦点絞り７、１２、１５、１７、１９と共役になるようにフォーカスレンズを固定し、かつ光束をマイクロミラーアレイ２により主走査方向に、ガルバノメータミラー４’により副走査方向に二次元的に走査」するから、「マイクロミラーアレイ２」と「ガルバノメータミラー４’」を用いて「白色光源８から発した光束」を「眼底」で「二次元的に走査」することが分かる。
　よって、引用発明の「白色光源８から発した光束」を「眼底」で「二次元的に走査」するための「マイクロミラーアレイ２」と「ガルバノメータミラー４’」は、本件補正発明の「前記投光光学系によって投光される前記照明光を前記眼底上で走査するために前記照明光の進行方向を変える走査部」に相当する。
ウ　引用発明の「被検眼Ｅに対して入反射する光束が進行する光軸Ｏ１上には、対物レンズ１とマイクロミラーアレイ２が配置され、
マイクロミラーアレイ２に対して入反射する光束が進行する光軸Ｏ２上には、リレーレンズ３とガルバノメータミラー４’が配置され、
ガルバノメータミラー４’に対して入反射する光束が進行する光軸Ｏ３上には、フォーカスレンズ４１、光分割部材４２」「が配置され、
光分割部材４２において反射した光束が進行する光軸上には、フォーカスレンズ４５、ダイクロイックミラー１０、ダイクロイックミラー１１、共焦点絞り１２及び光電センサ１３が配置され、
ダイクロイックミラー１０において反射した光束が進行する光軸上には、ダイクロイックミラー１４、共焦点絞り１５及び光電センサ１６が配置され、
ダイクロイックミラー１１において反射した光束が進行する光軸上には共焦点絞り１７及び光電センサ１８が配置され、
ダイクロイックミラー１４において反射した光束が進行する光軸上には共焦点絞り１９及び光電センサ２０が配置され」ることは、受光光学系を構成しているが明らかであるから、本件補正発明の「前記投光光学系から眼底へ照射された前記照明光の眼底反射光を受光素子で受光する受光光学系」に相当する。
エ　上記ア〜ウを踏まえると、引用発明において、「白色光源８から発した」「光束をマイクロミラーアレイ２により主走査方向に、ガルバノメータミラー４’により副走査方向に二次元的に走査し、光軸Ｏ１に垂直な断面像、即ち眼底像を得ること」は、投光光学系と、走査部と、受光光学系と、を備えた撮影光学系を備えることであるから、本件補正発明の「光源から発せられる照明光を被検眼の眼底へ投光する投光光学系と、前記投光光学系によって投光される前記照明光を前記眼底上で走査するために前記照明光の進行方向を変える走査部と、前記投光光学系から眼底へ照射された前記照明光の眼底反射光を受光素子で受光する受光光学系と、を備え、前記照明光の走査によって被検眼の眼底画像を撮影するための撮影光学系を備える」ことに相当する。
オ　上記エを踏まえると、引用発明の「検眼装置」は、本件補正発明の「眼科撮影装置」に相当する。
カ　引用発明の「白色光源８から発した光束」を「眼底において点状として投影し」、「二次元的に走査」するための「マイクロミラーアレイ２」と「ガルバノメータミラー４’」は、本件補正発明の「眼底上でスポット状の前記照明光を二次元的に走査するための２つの光スキャナからなる前記走査部」に相当する。
　また、引用発明の「被検眼Ｅに対して入反射する光束が進行する光軸Ｏ１」と、「マイクロミラーアレイ２に対して入反射する光束が進行する光軸Ｏ２」と、「光分割部材４２」から「ガルバノメータミラー４’に対して入反射する光束が進行する光軸Ｏ３」とが、本件補正発明の「前記投光光学系と前記受光光学系との共通光路」に相当する。
　よって、引用発明において、「白色光源８から発した光束」を「眼底において点状として投影し」、「二次元的に走査」するための、「マイクロミラーアレイ２」が「光軸Ｏ１上に」「配置され」、「ガルバノメータミラー４’」が「光軸Ｏ２上に」「配置され」ることは、本件補正発明の「眼底上でスポット状の前記照明光を二次元的に走査するための２つの光スキャナからなる前記走査部」「を前記投光光学系と前記受光光学系との共通光路上に有」することに相当する。
キ　引用発明において「対物レンズ１」を「光軸Ｏ１上に」「配置」することと、本件補正発明において「前記撮影光学系における前記眼底画像の撮影画角を、第１の画角とするための第１の対物レンズ光学系と、前記眼底画像の撮影画角を前記第１の画角よりも大きな、且つ、５０°よりも大きな第２の画角とするための第２の対物レンズ光学系と、を前記共通光路上であって前記走査部と前記被検眼との間に有」することとは、両発明において「対物レンズ光学系を前記共通光路上であって前記走査部と前記被検眼との間に有」する点で共通する。
ク　引用発明は、「検者による画角変更操作に基づいて、対物レンズ１が、被検眼Ｅの眼底に対し、６０度の画角となる位置から、６０度の画角より小さい画角となる位置に、光軸Ｏ１上をマイクロミラーアレイ２の方向に移動するように制御される」ことから、「対物レンズ１」を、「被検眼Ｅの眼底に対し、６０度の画角となる位置」と「６０度の画角より小さい画角となる位置」との間で、「画角変更」のために「光軸Ｏ１上をマイクロミラーアレイ２の方向に移動」させる移動手段を備えていることは明らかである。
　よって、引用発明の「対物レンズ１」を、「被検眼Ｅの眼底に対し、６０度の画角となる位置」と「６０度の画角より小さい画角となる位置」との間で、「画角変更」のために「光軸Ｏ１上をマイクロミラーアレイ２の方向に移動」させることと、本件補正発明の「前記第１の対物レンズ光学系と前記第２の対物レンズ光学系との１つを前記光路上における前記走査部と前記被検眼との間に択一的に配置することで、前記撮影光学系における前記眼底画像の撮影画角を、前記第１の画角と前記第２の画角との間で切換える画角切換手段」とは、「前記対物レンズ光学系を前記光路上における前記走査部と前記被検眼との間の所定位置に配置することで、前記撮影光学系における前記眼底画像の撮影画角を、第１の画角と、前記第１の画角よりも大きな、且つ、５０°よりも大きな第２の画角との間で切換える画角切換手段」の点で共通する。
ケ　引用発明において、「検者による画角変更操作に基づいて、対物レンズ１が、被検眼Ｅの眼底に対し、６０度の画角となる位置から、６０度の画角より小さい画角となる位置に、光軸Ｏ１上をマイクロミラーアレイ２の方向に移動するように制御される」ことと、本件補正発明において、「検者による撮影画角の選択操作に基づいて、前記第１の対物レンズ光学系と前記第２の対物レンズ光学系との１つが前記光路上における前記走査部と前記被検眼との間に択一的に配置されるように前記画角切換手段を制御」することとは、両発明において、「検者による撮影画角の選択操作に基づいて、前記対物レンズ光学系が前記光路上における前記走査部と前記被検眼との間の所定位置に配置されるように前記画角切換手段を制御」する点で共通する。
　また、引用発明の「対物レンズ１」が「６０度の画角より小さい画角となる位置」で「眼底像を得る」ことが、本件補正発明の「前記第１の画角で撮影が行われる第１の撮影モード」に相当し、引用発明の「対物レンズ１」が「６０度の画角となる位置」で「眼底像を得る」ことが、本件補正発明の「前記第２の画角で撮影が行われる第２の撮影モード」に相当するところ、引用発明において、「対物レンズ１」が「６０度の画角より小さい画角となる位置」と「６０度の画角となる位置」で、各々「眼底像を得る」ことは、「眼底像を得る」ための撮影モードを切換える「制御」手段を備えていることが明らかであるから、本件補正発明の「前記第１の画角で撮影が行われる第１の撮影モードと、前記第２の画角で撮影が行われる第２の撮影モードと、の間で撮影モードを切換える制御手段」に相当する。
　よって、引用発明において、「検者による画角変更操作に基づいて、対物レンズ１が、被検眼Ｅの眼底に対し、６０度の画角となる位置から、６０度の画角より小さい画角となる位置に、光軸Ｏ１上をマイクロミラーアレイ２の方向に移動するように制御され」、「対物レンズ１」が「６０度の画角より小さい画角となる位置」と「６０度の画角となる位置」で、各々「眼底像を得る」ことと、本件補正発明の「検者による撮影画角の選択操作に基づいて、前記第１の対物レンズ光学系と前記第２の対物レンズ光学系との１つが前記光路上における前記走査部と前記被検眼との間に択一的に配置されるように前記画角切換手段を制御し、前記第１の画角で撮影が行われる第１の撮影モードと、前記第２の画角で撮影が行われる第２の撮影モードと、の間で撮影モードを切換える制御手段」とは、「検者による撮影画角の選択操作に基づいて、前記対物レンズ光学系が前記光路上における前記走査部と前記被検眼との間の所定位置に配置されるように前記画角切換手段を制御し、前記第１の画角で撮影が行われる第１の撮影モードと、前記第２の画角で撮影が行われる第２の撮影モードと、の間で撮影モードを切換える制御手段」の点で共通する。
（４）一致点・相違点
　上記（３）から、本件補正発明と引用発明とは、次の点で一致し、次の点で相違する。
（一致点）
「　光源から発せられる照明光を被検眼の眼底へ投光する投光光学系と、前記投光光学系によって投光される前記照明光を前記眼底上で走査するために前記照明光の進行方向を変える走査部と、前記投光光学系から眼底へ照射された前記照明光の眼底反射光を受光素子で受光する受光光学系と、を備え、前記照明光の走査によって被検眼の眼底画像を撮影するための撮影光学系を備える眼科撮影装置であって、
　前記撮影光学系は、
　眼底上でスポット状の前記照明光を二次元的に走査するための２つの光スキャナからなる前記走査部を前記投光光学系と前記受光光学系との共通光路上に有し、更に、
　対物レンズ光学系を前記共通光路上であって前記走査部と前記被検眼との間に有し、
　前記対物レンズ光学系を前記光路上における前記走査部と前記被検眼との間の所定位置に配置することで、前記撮影光学系における前記眼底画像の撮影画角を、第１の画角と、前記第１の画角よりも大きな、且つ、５０°よりも大きな第２の画角との間で切換える画角切換手段と、
　検者による撮影画角の選択操作に基づいて、前記対物レンズ光学系が前記光路上における前記走査部と前記被検眼との間の所定位置に配置されるように前記画角切換手段を制御し、前記第１の画角で撮影が行われる第１の撮影モードと、前記第２の画角で撮影が行われる第２の撮影モードと、の間で撮影モードを切換える制御手段と、を備える、
眼科撮影装置。」
（相違点）
　本件補正発明では、「前記撮影光学系における前記眼底画像の撮影画角を、第１の画角とするための第１の対物レンズ光学系と、前記眼底画像の撮影画角を前記第１の画角よりも大きな、且つ、５０°よりも大きな第２の画角とするための第２の対物レンズ光学系と、」を前記共通光路上であって前記走査部と前記被検眼との間に有し、
　「前記第１の対物レンズ光学系と前記第２の対物レンズ光学系との１つ」を前記光路上における前記走査部と前記被検眼との間に「択一的に」配置することで、前記撮影光学系における前記眼底画像の撮影画角を、「前記」第１の画角と「前記」第２の画角との間で切換える画角切換手段と、
　検者による撮影画角の選択操作に基づいて、「前記第１の対物レンズ光学系と前記第２の対物レンズ光学系との１つ」が前記光路上における前記走査部と前記被検眼との間に「択一的に」配置されるように前記画角切換手段を制御する制御手段を備えるのに対し、
　引用発明では、「検者による画角変更操作に基づいて、対物レンズ１が、被検眼Ｅの眼底に対し、６０度の画角となる位置から、６０度の画角より小さい画角となる位置に、光軸Ｏ１上をマイクロミラーアレイ２の方向に移動するように制御される」点。
（５）判断
　上記相違点について検討する。
　一般に、光学撮影装置において、画角を変更する際に、レンズを交換するか、ズームレンズを用いることが行われており、そのどちらを採用するかは適宜選択し得る事項である。
　また、眼科撮影装置である引用発明における画角を変更する構成は、対物レンズを光軸方向に移動させるものであり（ズームレンズに相当。）、同様に眼科撮影装置である引用文献３、４（上記（２）のイ及びウ参照。）における画角を変更する構成は、レンズを交換するものである。
　してみると、一般の光学撮影装置と同様に眼科撮影装置においても、画角を変更する構成として、レンズを交換するか、ズームレンズを用いるかは適宜選択し得る事項であるといえる。
　よって、眼科撮影装置である引用発明において、画角を変更する構成として、対物レンズを光軸方向に移動させる構成とするか、対物レンズ１を交換する構成とするかは、当業者が適宜選択し得ることであって、上記相違点に係る本件補正発明の構成とすることは、当業者が容易に想到し得ることである。
　そして、本件補正発明の奏する作用効果は、引用文献１、３、４の記載から予測される範囲内のものにすぎず、顕著なものということはできない。
（６）小括
　したがって、本件補正発明は、引用発明に基づいて、当業者が容易に発明をすることができたものであり、特許法第２９条第２項の規定により、特許出願の際独立して特許を受けることができないものである。
３　本件補正についてのむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の結論のとおり決定する。
第３　本願発明について
１　本願発明
　本件補正は、上記第２のとおり却下されたので、本願の請求項１に係る発明は、令和元年１１月２１日にされた手続補正により補正された特許請求の範囲の請求項１に記載された事項により特定されるものであるところ、その請求項１に係る発明（以下「本願発明」という。）は、上記第２の［理由］１（２）に記載されたとおりのものである。
２　原査定の拒絶の理由
　原査定の拒絶の理由の概要は、本願の請求項１に係る発明は、本願出願前に頒布された引用文献１に記載された発明及び周知技術（引用文献４、５等）に基づいて、当業者が容易に発明をすることができたものであるから、特許法第２９条第２項の規定により特許を受けることができない、というものである。
引用文献１：特開２００１−２４５８５２号公報
引用文献２：省略
引用文献３：特開昭６４−５８２３７号公報
引用文献４：特開平１１−２３５３１５号公報
引用文献５：特開平５−１７６８９７号公報
３　引用文献
　原査定の拒絶の理由で引用された引用文献及びその記載事項は、上記第２の［理由］２（２）に記載したとおりである。
４　対比・判断
　本願発明は、上記第２の［理由］２（３）〜（５）で検討した本件補正発明から、「撮影光学系」について付加した限定を削除したものである。
　そうすると、本願発明の発明特定事項を全て含み、「撮影光学系」について付加した限定を追加したものに相当する本件補正発明が、上記第２の［理由］２（３）〜（５）に記載したとおり、引用発明に基づいて、当業者が容易に発明をすることができたものであるから、本願発明も、引用発明に基づいて、当業者が容易に発明をすることができたものである。
第４　むすび
　以上のとおり、本願発明は、特許法第２９条第２項の規定により特許を受けることができないから、本願は拒絶されるべきものである。
　よって、結論のとおり審決する。